(57)【特許請求の範囲】
【請求項１】
窓ガラス(１００)の内側(内気側)に両面粘着テープ(１４)を介して取り付けられる窓ガラス結露水滴の排水用パネル部材であって、透明性に優れたポリカーボネイト等の硬質合成樹脂材からなり、かつその横幅は前記窓ガラス(１００)の横幅と略同等であり、その縦方向の長さは前記窓ガラス(１００)の縦方向よりも短い板状パネル体(２)と、該板状パネル体(２)に連結された排水管(１３)を含み、
前記板状パネル体(２)は、相対向するパネル面部(３)、(４)と両側面部(５)、(６)、底面部(８)の三辺部は閉塞されて、上端の一辺部のみが開口され、かつ前記窓ガラス(１００)との粘着側のパネル面(４)の開口側の各上端内側縁には面取り部(７)が形成されて、開口側上端が肉薄状に形成されるとともに、底面部(８)の内側には排水側に向けやや下り傾斜させて傾斜面流路(９)が形成され、前記相対向するパネル面部(３)、(４)間の縦方向には、適宜の間隔で、かつ前記傾斜面流路(９)のやや上方までの縦方向仕切り部(１０)を介して結露水滴が落下する中空部(11)が形成され、更に排水側における側面部(６)の下部には排水孔(１２)が明けられ、この排水孔(１２)に前記排水管(１３)が連結され、前記窓ガラス(１００)の結露水滴が前記開口側の面取り部(７)に沿って前記各中空部(１１)内に落下して傾斜面流路(９)を流れ、かつ前記排水管(１３)を通して外部に排水される構成を特徴とする窓ガラス結露水滴の排水用パネル部材。
【発明の詳細な説明】
【技術分野】
【０００１】
本発明は、窓ガラスの内側（内気側）に取り付けられて、窓ガラスの結露した水滴を一箇所に集めて外部に排水するためのパネル部材に関するものである。
【背景技術】
【０００２】
従来、窓ガラスの結露を防止する手段としては、例えば特開平６−２１０８０４号公報に記載のものが知られている（特許文献1参照）。
【０００３】
この特開平６−２１０８０４号公報に記載の手段は、ガラス繊維や不織布等の基材に吸水性ポリマーを重合固着させて構成の結露防止シートを窓ガラスに取り付け、吸水性ポリマーにより水や水蒸気を吸収するようにしたものである。
【０００４】
ところで、この結露防止シートは、これを窓ガラスに取り付けた場合には、窓ガラスが遮蔽状態となって室内を暗くして雰囲気を損ない、外観体裁上において好ましいものではない。
【０００５】
また、結露防止シートにおける吸水性ポリマーの吸水能力には限界があり、この限界を超えた水量の場合には、吸水性ポリマーの脱落が起こる。
【特許文献１】特開平６−２１０８０４号公報
【発明の開示】
【発明が解決しようとする課題】
【０００６】
本発明が解決しようとする問題点は、窓ガラスに取り付けた場合において、窓ガラスを遮蔽して窓ガラスの本来的機能を損なう点であり、また、吸水性ポリマーの吸水量には限界があって、多量の結露水滴を吸水できないという点である。
【０００７】
したがって、本発明の目的は、窓ガラスに取り付けた場合において、窓ガラスと一体感を有して違和感がなく、また、結露水滴が多量であっても全量を排水することができて、何ら問題のない窓ガラス結露水滴の排水用パネル部材を提供することにある。
【課題を解決するための手段】
【０００８】
この目的のため、本発明の請求項1に記載の窓ガラス結露水滴の排水用パネル部材は、窓ガラス１００の内側(内気側)に両面粘着テープ１４を介して取り付けられる窓ガラス結露水滴の排水用パネル部材であって、透明性に優れたポリカーボネイト等の硬質合成樹脂材からなり、かつその横幅は前記窓ガラス１００の横幅と略同等であり、その縦方向の長さは前記窓ガラス１００の縦方向よりも短い板状パネル体２と、該板状パネル体２に連結された排水管１３を含み、前記板状パネル体２は、相対向するパネル面部３、４と両側面部５、６、底面部８の三辺部は閉塞されて、上端の一辺部のみが開口され、かつ前記窓ガラス１００との粘着側のパネル面４の開口側の各上端内側縁には面取り部７が形成されて、開口側上端が肉薄状に形成さるとともに、底面部８の内側には排水側に向けやや下り傾斜させて傾斜面流路９が形成され、前記相対向するパネル面部３、４間の縦方向には、適宜の間隔で、かつ前記傾斜面流路９のやや上方までの縦方向仕切り部１０を介して結露水滴が落下する中空部11が形成され、更に排水側における側面部６の下部には排水孔１２が明けられ、この排水孔１２に前記排水管１３が連結され、前記窓ガラス１００の結露水滴が前記開口側の面取り部７に沿って前記各中空部１１内に落下して傾斜面流路９を流れ、かつ前記排水管１３を通して外部に排水される構成を特徴とするものである。
【発明の効果】
【０００９】
本発明に係る窓ガラス結露水滴の排水用パネル部材によれば、全体が透明性に優れたポリカーボネイト等の硬質合成樹脂材から成る中空状の板状パネル体２であるから、従来のような室内を暗くして雰囲気を損なうということはなくなって違和感がないものである。
【００１０】
また、従来のような吸水性ポリマーを使用する必要がないから、結露水滴量が多くても完全に排水することができ、桟の汚れやカビの発生等を防いで室内等の環境向上に寄与し得る。
【００１１】
また、板状パネル体２における窓ガラス１００との粘着側のパネル面部４の開口側の各上端内側縁には面取り部７が形成されて、開口側上端は肉薄状に形成されているから、結露水滴は薄い上端から面取り部７に沿って各中空部１１内に良好に落下し、傾斜面流路９を流れて排水管１３より外部に排水される。
【発明を実施するための最良の形態】
【００１２】
以下に図面を参照して、本願に係る発明を実施するための最良の形態についてその作用と共に説明する。
【００１３】
図１は、本発明に係る窓ガラス結露水滴の排水用パネル部材の一例を示す一部省略の正面図、図２は、一部省略の拡大断面図、図３は、図１の３−３線に沿った部分拡大断面図である。
【００１４】
図1に示されているように、本窓ガラス結露水滴の排水用パネル部材１は、窓ガラス１００の内側（内気側）に、例えば両面粘着テープ１４を介して取り付けられて、結露水滴を中空板状のパネル体の内部に滴下させ、かつ排水管を通して外部に排水させるものである。
【００１５】
パネル体２は、透明性・耐候性等に優れたポリカーボネイト等の硬質合成樹脂材から成る板状体であって、その大きさは取り付けられる窓ガラス１００と略同等の横幅を有し、縦方向の長さは、窓ガラス１００の下部に取り付けられるため、窓ガラス１００の縦方向長さよりも短くなっている。
【００１６】
パネル体２は、その相対向するパネル面部３、４と両側面部５、６、底面部８の三辺部は閉塞されて、上端の一辺部のみが開口され、
かつ窓ガラス１００との粘着側のパネル面４の開口側の上端内側縁には面取り部７が形成されて開口上端は肉薄状に形成され、結露水滴が薄い上端から面取り部７に沿って良好に落下するようになっている。
【００１７】
底面部８の内側には排水側に向けやや下り傾斜させて傾斜面流路９が形成されるとともに、相対向するパネル面部３、４間の縦方向には、適宜の間隔で、かつ傾斜面流路９のやや上方までの縦方向仕切り部１０を介して結露水滴が落下する中空部11が形成され、更に排水側における側面部６の下部には排水孔１２が明けられ、この排水孔１２に細いビニール製排水管１３が連結されている。
【００１８】
なお、パネル体２は、図示の実施例においては横長四角形に形成されているが、これに限定されずに開口側の上端辺を、例えば波形等の曲線状に形成しても良く、また、パネル体２の正面パネル面部３の全面、または一部分に意匠や着色を施しても良い。
【００１９】
このように構成されたパネル部材１は、窓ガラス１００の内側（内気側）の下部位置に、略横幅いっぱいに両面粘着テープ１４を介して取り付けされる。
【００２０】
この取り付け状態において、窓ガラス１００の内側（内気側）に生じた結露水滴は、図１及び図２に示されているように、肉厚の薄い上端開口部から面取り部７に沿って各中空部１１内に落下し、傾斜面流路９を流れて排水孔１２から排水管１３を通って直接外部に、または室内に用意された別の容器等に排水される。
【図面の簡単な説明】
【００２１】
【図１】本発明に係る窓ガラス結露水滴の排水用パネル部材の一例を示す一部省略の正面図である。
【図２】一部省略の拡大断面図である。
【図３】図1の３−３線に沿った部分拡大断面図である。
【符号の説明】
【００２２】
１ 本排水用パネル部材
２ パネル体
３、４ パネル面部
５、６ 両側面部
７ 面取り部
８ 底面部
９ 傾斜面流路
１０ 縦方向仕切り部
１１ 中空部
１２ 排水孔
１３ 排水管
１４ 両面粘着テープ
１００ 窓ガラス
【図１】
0003785174.tif 000002
【図２】
0003785174.tif 000003
【図３】
0003785174.tif 000004